(57)【特許請求の範囲】
【請求項１】
下記（ｉ）〜（ｘ）の要件より構成されていることを特徴とする簡易冷風機。
（ｉ）箱型容器であって、この箱型容器は６面体の矩形で構成され、その６面体のうち１面は冷風吹出し面（“正表面”という）であり、他の５面は正表面側から見て左右側面、上面、下面（底面）および奥面であること、
（ｉｉ）正表面側から見て、正表面以外の面は、断熱材で形成されていること、
（ｉｉｉ）正表面側から見て、下面（表面）の上部には多孔板で区画された下部空間Ａおよび上部空間Ｂが全体に亘って形成されていること、
（ｉｖ）前記上部空間Ｂは、正表面側から、冷却風混合領域、熱交換領域および取入れ空気分散領域の３つの領域を有していること、
（ｖ）前記冷却風混合領域と前記熱交換領域とは多孔板により区画されていること、
（ｖｉ）前記熱交換領域と前記取入れ空気分散領域とは多孔板により区画されていること、
（ｖｉｉ）前記熱交換領域には、複数の保冷袋が或る間隔をもって保持しうる保冷袋固定具を有していること
（ｖｉｉｉ）前記正表面には、空気取入口、電動ファン、電源スイッチおよび風量調節スイッチが取付けられていること、
（ｉｘ）前記正表面には、冷風吹出し用の多孔板領域が正表面の全面積当り、５％〜３０％の割合で設けられていることおよび、
（ｘ）前記上部空間Ｂには、正表面の空気取入口から取入れ空気分散領域に取入れ空気を導入するための洞通管を有していること、
【請求項２】
前記請求項１記載の簡易冷風機およびソーラーパネル型発電機を組合せてなる簡易冷風システム。
【発明の詳細な説明】
【技術分野】
【０００１】
本発明は、家庭用電源や自動車用電源を使用しないで作動することができ、持ち運びが容易な簡易冷風機に関する。さらに詳しくは、小型のソーラーパネル型発電機の利用で作動することができ、比較的短時間作動でき、かつ狭い空間で少人数で利用できる簡易冷風機に関する。
【背景技術】
【０００２】
現代は、自動車社会であり、極めて数多くの自動車が生産され、また常時走行している。自動車は運転手の休憩、荷物の積卸し、交通渋滞などの場合、エンジンを停止するか或いはアイドリング状態に保持される。一方自動車は、運転手および同乗者が車内で快適に過すために、暑い時はクーラーを作動させている。
自動車用のクーラーは、車内のバッテリーを電源として使用している。
そのため、自動車が停止している場合、長い間クーラーを作動させるためにはアイドリングを余儀なくされる。アイドリングは、大気汚染の改善、騒音の低減、地球温暖化防止のために、多くの場合、駐・停車中は停止することが条例などにより義務付けられていることが多い。アイドリングはそれ自体、燃料の無駄使いでもある。
アイドリングを停止すると、自動車のクーラーは長い時間の作動ができなくなり、直射日光が当る場所や暑い時期には自動車の室内は高温になり、時には室内に止まることもできなくなる。
従来、下記特許文献１には、冷房設備のない車輌（例えばフォークリフト）などの運転において、作業中運転台の上部（屋根部）に搭載して利用する簡易冷房装置が提案されている。
この冷房装置は、樹脂板で形成された箱形容器を有し、この箱形容器内には冷却水を収納した多数の冷却プラスチック容器が収納され、電動ファンの作動によりその箱形容器内に空気を取り入れ、冷却した空気を下方に向けて（運転台へ向けて）吹き出す構造を有している。
この冷却装置は、運転台の上部に固定して設置され、持ち出したり移動することは容易ではなく、フォークリフトの電源を利用するため停止中の利用が困難である。
【先行技術文献】
【特許文献】
【０００３】
特開２０１１−０６３０９４号公報
【発明の概要】
【発明が解決しようとする課題】
【０００４】
そこで本発明者は、持ち運びや設置が容易で、しかも自動車からの電源を必要としないで作動することができる簡易冷風機の開発について研究を進めた。殊に小型のソーラーパネルを電源として作動し、狭い空間で冷房効果を達成できる冷風機の開発について研究を進めた。
【０００５】
先ず、電源として小型のソーラーパネルの１２ボルト（Ｖ）程度の電圧で作動するファンを使用し、冷却材として市販の保冷袋を使用することにより、数時間程度の冷風を効率よく得ることが可能であること、小型で持ち運びが容易であり（軽量であること）、狭い空間でも利用可能であることを課題として簡易冷風機の開発を進めた。すなわち運転者が自動車室内において、休憩や仮眠のため、例えば約５時間以内、好ましくは３時間以内使用することが可能な冷風機の開発を進めた。
【課題を解決するための手段】
【０００６】
その結果、小型の箱型容器（例えば約５００ｍｍ×５００ｍｍ×４００ｍｍ好ましくは約４５０ｍｍ×４５０ｍｍ×３５０ｍｍよりも小さい容器）であって、その箱型容器は下記（ａ）〜（ｊ）の要件を具備している簡易冷風機が見出された。
（ａ）容器は、基本的に６面体の矩形で構成され、その６面体は、正面の冷風吹出し面（以下“正表面”という）および他の５面より構成され、他の５面は、正表面側から見て左右側面、上面、下面（底面）および奥面であること、
（ｂ）正表面側から見て、正表面以外の５面は断熱材で構成されていること、
（ｃ）正表面側から見て、下面（底面）の上部には多孔板（空気口）で区画された下部空間Ａおよび上部空間Ｂが全体に亘って形成されていること、
（ｄ）この上部空間Ｂは、正表面側から見て、冷却風混合領域、熱交換領域および取入れ空気分散領域の３つの領域を有すること、
（ｅ）前記冷却風混合領域と前記熱交換領域とは多孔板により区画されていること、
（ｆ）前記熱交換領域と前記取入れ空気分散領域とは多孔板により区画されていること、
（ｇ）前記熱交換領域には、保冷袋固定具より複数の保冷袋が或る間隔をもって収納されていること、
（ｈ）前記正表面には、空気取入口、電動ファン、電源スイッチおよび風量調節スイッチが取付けられていること、
（ｉ）前記正表面には、冷風吹出し用の多孔板領域が正表面の全面積当り、５％〜３０％の割合で設けられていること、および
（ｊ）前記上部空間Ｂには、正表面の空気取入口から空気分散領域に取入れ空気を導入するための洞通管を有していること、
【０００７】
本発明は、前記知見により到達されたものであって、本発明によれば、下記（ｉ）〜（ｘ）の要件より構成されていることを特徴とする簡易冷風機が提供される。
（ｉ）箱型容器であって、この箱型容器は６面体の矩形で構成され、その６面体のうち１面は冷風吹出し面（“正表面”という）であり、他の５面は正表面側から見て左右側面、上面、下面（底面）および奥面であること、
（ｉｉ）正表面側から見て、正表面以外の面は、断熱材で形成されていること、
（ｉｉｉ）正表面側から見て、下面（底面）の上部には多孔板で区画された下部空間Ａおよび上部空間Ｂが全体に亘って形成されていること、
（ｉｖ）前記上部空間Ｂは、正表面側から、冷却風混合領域、熱交換領域および取入れ空気分散領域の３つの領域を有していること、
（ｖ）前記冷却風混合領域と前記熱交換領域とは多孔板により区画されていること、
（ｖｉ）前記熱交換領域と前記取入れ空気分散領域とは多孔板により区画されていること、
（ｖｉｉ）前記熱交換領域には、複数の保冷袋が或る間隔をもって保持しうる保冷袋固定具を有していること
（ｖｉｉｉ）前記正表面には、空気取入口、電動ファン、電源スイッチおよび風量調節スイッチが取付けられていること、
（ｉｘ）前記正表面には、冷風吹出し用の多孔板領域が正表面の全面積当り、５％〜３０％の割合で設けられていること、
および
（ｘ）前記上部空間Ｂには、正表面の空気取入口から取入れ空気分散領域に取入れ空気を導入するための洞通管を有していること、
【０００８】
また本発明によれば、前記簡易冷風機およびソーラーパネル型発電機を組合せてなる簡易冷風システムが提供される。
【０００９】
本発明の簡易冷風システムは、小型のソーラーパネル型発電機により１２ボトル（Ｖ）程度の電力により冷風機を作動することができ、全体が小型且つ軽量であって、持ち運びや移動が容易であり、少人数で狭い空間を適当な温度に維持することができる。自動車からの電源を必要とせず、音も静かであって、運転者や同乗者は、車内で休憩や仮眠を取ることができる。
【発明の効果】
【００１０】
本発明の簡易冷風機は、小型で且つ軽量であって、小型のソーラーパネル型発電機によって作動できる。従って、電源が制限されている室内の冷房に有利に利用することができる。
【図面の簡単な説明】
【００１１】
【図１】本発明の一例の簡易冷風機の全体の形体を表わす斜視図を示す。
【図２】本発明の簡易冷風機の冷風吹出口を有する正面から見た平面図を示す。
【図３】本発明の簡易冷風機の図１におけるＸ−Ｘ´方向の直角断面図を示す。
【図４】本発明の簡易冷風機の図１におけるＹ−Ｙ´方向の直角断面図を示す。
【発明を実施するための形態】
【００１２】
本発明の簡易冷風機を図面を用いて説明する。
図１は本発明の一例の簡易冷風機の全体を表わす斜視図を示す。図１に示すように全体は、６面体の矩形で構成される箱型の容器の形態をしている。その６面体のうち、１面は図２で表わされる正表面２であり、他の５面は断熱材７で構成されている。正表面２は、図２に示すように空気取入口３、冷風吹出し用の多孔板領域４が設けられている。また正表面２には、電源スイッチ５および風量調節スイッチ６が取付けられている。電源スイッチ５は、小型ソーラーパネル型発電機からの電気を導入するためのスイッチであり、ＯＮ・ＯＦＦを切換えるか或いはプラグを差し込んで通電できるものであってもよい。
【００１３】
一方風量調節スイッチ６は、冷風の吹出し量をコントロールするために電流を調節するためのものである。すなわち、この風量調節スイッチ６は、空気取入口３からの空気取入量をコントロールすること、つまり空気取入口に設置された電動ファンの回転数をコントロールするためのものである。
【００１４】
本発明の簡易冷風機は、正表面以外の他の５面は矩形で板状の断熱材で構成されている。好ましい断熱材は、ポリスチレン発泡体である。ポリスチレン発泡体は、軽量であり、５面を一体成形して箱体とすることができ、しかも強度にも優れている。
【００１５】
正表面２には、空気取入口３および冷風吹出し用多孔板領域４が設けられている。この空気取入口３は正表面の中心部に位置することが望ましい。この空気取入口３の裏面には電動ファンが設置されているが正表面２には図示されていない。正表面２における冷却風吹出し用多孔板領域４は正表面２の全体の面積に対して、５〜３０％、好ましくは１０〜２５％の面積であることが有利である。
【００１６】
この領域４の面積が大きくなると吹出す冷風の風速が低下する傾向になる。前記冷風吹出し用多孔板領域４において、孔の形状は、円、楕円あるいは矩形のいずれでもよいが、円形であることが望ましく、その場合直径は２〜４ｍｍ、好ましくは２．５〜３．５ｍｍである。またこの孔の数は、正表面の多孔板領域１００ｃｍ２当り、１０〜１００個、好ましくは２０〜８０個が望ましい。多孔板領域４は、正表面２の上、下、左または右のいずれに設けてもよいが、下部であるのが望ましい。正表面２において空気取入口３および冷風吹出し用多孔板領域４以外の領域は、通常の木板、プラスチック板または発泡ポリスチレン板であることができる。また正表面４の周囲７は箱体を形成している断熱材である。
【００１７】
図３には、本発明の簡易冷風機の図１におけるＸ−Ｘ´方向の直角断面図を示す。図３の断面図において周囲は断熱材７により囲まれている。この断熱材７の厚さは、０．５ｃｍ〜２．５ｃｍ、好ましくは１ｃｍ〜２ｃｍであるのが望ましい。図３において中央部には洞通管８が設けられ、この洞通管８は、２つの仕切板９により分画されている。正表面２の空気取入口３より、電動ファン１８を介して導入された空気は、洞通管８を通過（図３の表面側から奥面へ向って通過）する構造となっている。
【００１８】
洞通管８は正表面２からその奥面１９（図４）まで達している。この奥面１９の手前には取入れ空気分散領域１４が設けられている。
図３の洞通管８により分画された左右の領域は、熱交換領域１２である。この２つの熱交換領域１２には、それぞれ保冷袋１１が縦形に収納されている。図３では合計４個の保冷袋が収納されているが、その保冷袋は、さらに多くてもよい。
保冷袋１１は、多孔板１０の上部（上部空洞Ｂ）に収納されている。この多孔板１０の下部は下部空間Ａを形成している。この多孔板１０の形状や構造は、後で説明する。
【００１９】
図４には、本発明の簡易冷風機の図１におけるＹ−Ｙ´方向の直角断面図を示す。図４の断面図においてその周囲は下部の正表面２および他の３面により囲まれている。この他の３面は断熱材７である。
【００２０】
図４において正表面２側から順次冷却風混合領域１３、熱交換領域１２および取入れ空気分散領域１４の領域を有し、中央部には洞通管を形成している。正表面２の空気取入口３より電動ファン１８を介して取入れられた空気は、洞通管８を通り奥面１９の方向に導びかれる。この奥面１９には取入れ空気分散領域１４が形成され、この領域１４において空気は左右の方向に分散される。分散された空気は、図４の左右に形成された熱交換領域１２中へ多孔板１５を通じて送り込まれる。この２つの多孔板は、図４では一重（１枚）であるが、二重（２枚）であってもよい。
【００２１】
熱交換領域１２中には、保冷袋固定具１７により縦形に固定された保冷袋１１が収納されている（図４では４個）。
固定具１７は金属管、金属棒、またはプラスチック棒であることができる。
熱交換領域１２へ導入された空気は、保冷袋１１と接触することにより冷却され、多孔板１６を通じて冷却風混合領域１３へ導かれる。この混合領域１３では多孔板１６を通過した冷却風が通過した孔の風速によって任意に混合され、均一化された温度が形成される。
【００２２】
前記多孔板１０、１５および１６の孔の形状は、円、楕円あるいは矩形のいずれかでもよいが、円形であることが加工上好ましく、その場合直径は２〜４ｍｍ、好ましくは２．５〜３．５ｍｍである。またこの孔の数は、多孔板１００ｃｍ２（正方形として１０×１０ｃｍ）当り、１０〜１００個、好ましくは２０〜８０個が好ましい。
【００２３】
冷却風混合領域１３により形成された冷却風は、図２に示した正表面２に設けた冷却風吹出し用の多孔板領域４から吹出される。この多孔板領域４は、多孔板１５または１６よりも、孔の総面積が小さく設計されていることが望ましく、そのため正表面２における冷却風吹出し用の多孔板領域４の面積は、正表面２の全面積当り５％〜３０％の割合が望ましい。
【００２４】
冷却風吹出し用の多孔板領域４からは、冷却風が可成り風速で吹出されることになり、狭い空間であっても冷却効果を体感できる。
【００２５】
本発明の冷風機中の熱交換領域１２に収納される保冷袋は、通常市販されているものを使用することができる。
長方形の袋形であるものが好適であり、縦および横の長さが約９０ｍｍおよび１５０ｍｍ〜１１０ｍｍおよび１７０ｍｍ程度のものが有利である。その厚さは約１０ｍｍ〜３０ｍｍ、好ましくは１５ｍｍ〜２５ｍｍのものが望ましい。保冷袋は、表面が保湿性の材料で形成されているものが好適である。表面が保湿性の材料であることにより、使用中保冷袋の表面が結露しても水が液体として滴下することを防止することができる。保冷袋は、冷却効果を高めるために或る間隔、例えば１〜７ｃｍ、好ましくは１．５〜５ｃｍの間隔をもって平行して収納することが望ましい。保冷袋は、使用後冷風機より取り出し、冷蔵庫や冷凍庫へ入れ、繰返し使用することができる。
【００２６】
さらに本発明によれば、前記簡易冷風機およびソーラーパネル型発電機を組合せてなる簡易冷風システムが提供される。
組合されるソーラーパネル型発電機は、小型のものでよく、例えばソーラーパネル表面が横は約２０〜４０ｃｍ、好ましくは約２５〜３５ｃｍで、縦は約３０〜６０ｃｍ、好ましくは約３５〜５５ｃｍの矩形のものが有利である。この程度の小型のソーラーパネルは軽量であり、約１２（ボルト）の発電能力を有している。ソーラーパネル発電機は、前記ソーラーパネルに、バッテリーおよびコントローラーを付設して使用される。ソーラーパネル発電機は図面には示されていない。
【符号の説明】
【００２７】
１  簡易冷風機
２  正表面
３  空気取入口
４  冷却風吹出し用の多孔板領域
５  電源スイッチ
６  風量調節スイッチ
７  断熱材
８  洞通管
９  仕切板
１０  多孔板
１１  保冷袋
１２  熱交換領域
１３  冷却風混合領域
１４  取入れ空気分散領域
１５  多孔板
１６  多孔板
１７  保冷袋固定具
１８  電動ファン
１９  奥面
Ａ  下部空間
Ｂ  上部空間
【図１】
0006595895.tif 000002
【図２】
0006595895.tif 000003
【図３】
0006595895.tif 000004
【図４】
0006595895.tif 000005